(57)【要約】【課題】携帯に便利であり、簡単な構造で製作が容易な防災用頭部保護具を提供する。【解決手段】袋状体２と帯状体３とからなり、これら袋状体２と帯状体３は合成樹脂製或いは布製で折り曲げ可能な膜状体からなり、該袋状体２は、長方形状の２枚の膜状体２ａをその両側縁及び下側縁において接着すると共に上側縁において開口部２ｂを形成して内部に該開口部２ｂに連なる収容室２ｃを形成して構成され、又、前記帯状体３は、帯状の２枚の膜状体３ａを接着して構成されており、根部において前記袋状体２の左右の側縁の中間部にそれぞれ接続して突出形成していると共に先端部を結着部３ｂに形成した。【選択図】図１
2013129944.tif 000002
【特許請求の範囲】
【請求項１】
内部に衝撃防止物の収容室を形成すると共に上辺部に該衝撃防止物の出し入れ可能な開口部を形成した袋状体の両側辺部に、先端部に結着部を有する帯状体を突出形成し、折畳み可能に形成した防災用頭部保護具。
【請求項２】
表面に頭部に当接する環状体を突設すると共に裏面に前記袋状体の表面に接離可能な接着材を設けた装着補助具を具備する請求項１に記載の防災用頭部保護具。
【請求項３】
上下方向の長さを、前記袋状体の上下方向の長さより長く形成すると共に、裏面に、該袋状体の表面に接離可能な接着材を設けた保護カバーを具備する請求項１又は請求項２に記載の防災用頭部保護具。
【請求項４】
前記帯状体を、前記袋状体の側辺の上方部又は下方部に突出形成すると共に、該帯状体の先端部を挿通係止する係止孔を、該帯状体の突出形成する側辺の反対側の側辺の下辺部又は上辺部に形成した請求項１乃至請求項３のいずれか１に記載の防災用頭部保護具。
【発明の詳細な説明】
【技術分野】
【０００１】
本発明は、地震その他において、ガラス、タイル、コンクリート等の落下物から頭部を守る簡便な防災用頭部保護具に関する。
【背景技術】
【０００２】
従来この種の頭部保護具として、例えば、図６の如く、硬質板で形成されその面がその長手方向に沿って湾曲した短冊状部材ａを複数重ね合わせると共に、各短冊状部材ａの長手方向の両端に設けた挿通部にリベットｂを取り付けて回転可能に連結し、更に、各短冊状部材ａの側辺には、舌片状に突出する係合部が設けられ、これら各短冊状部材ａが互いに重ね合わされた状態で畳まれる一方、各短冊状部材ａがリベットｂを支点として互いに回転してその位置を順次ずらした状態に開くときに、隣接する短冊状部材ａの前記係合部同士が当接して係合して頭部を覆う略半球形状の帽体に展開されるように構成したものが知られている（特許文献１参照。）。
【先行技術文献】
【特許文献】
【０００３】
【特許文献１】特開２００７−９２１９８公報
【発明の概要】
【発明が解決しようとする課題】
【０００４】
この従来の頭部保護具によれば、硬質板で形成されその面がその長手方向に沿って湾曲した短冊状部材ａを複数重ね合わせると共に、各短冊状部材ａの長手方向の両端に設けた挿通部にリベットｂを取り付けて回転可能に連結し、各短冊状部材ａがリベットｂを支点として互いに回転してその位置を順次ずらした状態に開くときに、隣接する短冊状部材ａの前記係合部同士が当接して係合する舌片状に突出する係合部を、各短冊状部材ａの側辺に設けなければならず、このような形状の短冊状部材ａを硬質板により形成するのに射出成型等の装置を必要とし、又、これら短冊状部材ａをその両端部の挿通部においてリベットｂにより連結する必要があり、製作上手間がかかる問題点があった。
【０００５】
本発明はこのような問題点を解消し、簡単な構造で製作が容易な防災用頭部保護具を提供することを目的とする。
【課題を解決するための手段】
【０００６】
本発明はこの目的を達成すべく、内部に衝撃防止物の収容室を形成すると共に上辺部に該衝撃防止物の出し入れ可能な開口部を形成した袋状体の両側辺部に、先端部に結着部を有する帯状体を突出し、折畳み可能に形成したことを特徴とする。
【発明の効果】
【０００７】
本発明によれば、簡単な構造で製作が容易で、しかも折畳んでコンパクトにしてカバン等に収納可能で携帯が容易であると共にヘルメットの代わりとなる効果を有する。
【図面の簡単な説明】
【０００８】
【図１】本発明の実施例１の防災用頭部保護具の斜視図である。
【図２】該頭部保護具を頭に装着した状態を示す正面図である。
【図３】本発明の実施例２の防災用頭部保護具の斜視図である。
【図４】該頭部保護具に使用される装着補助具の正面図である。
【図５】図４のＩ−Ｉ線截断面図である。
【図６】本発明の実施例３の防災用頭部保護具の斜視図である。
【図７】該頭部保護具に使用される保護カバーの斜視図である。
【図８】本発明の実施例４の防災用頭部保護具の斜視図である。
【図９】該頭部保護具を防災に使用する状態を示す斜視図である。
【図１０】該頭部保護具をリュックサックとして使用する状態を示す斜視図である。
【図１１】従来例の頭部保護具の斜視図である。
【発明を実施するための形態】
【０００９】
本発明を実施するための形態の実施例を以下に示す。
【実施例１】
【００１０】
本発明の実施例１を図１及び図２により説明する。
【００１１】
図１は本発明の実施例１の防災用頭部保護具の斜視図、図２は該頭部保護具を頭に装着した状態を示す正面図である。
【００１２】
１は本実施例の防災用頭部保護具を示し、該頭部保護具１は袋状体２と帯状体３とからなり、これら袋状体２と帯状体３は合成樹脂製或いは布製で折り曲げ可能な膜状体からなり、該袋状体２は、長方形状の２枚の膜状体２ａをその両側縁及び下側縁において接着すると共に上側縁において開口部２ｂを形成して内部に該開口部２ｂに連なる収容室２ｃを形成して構成されている。
【００１３】
又、前記帯状体３は、帯状の２枚の膜状体３ａを接着して構成されており、根部において前記袋状体２の左右の側縁の中間部にそれぞれ接続して突出形成していると共に先端部を結着部３ｂに形成した。
【００１４】
次に本実施例１の防災用頭部保護具１の使用と効果を説明する。
【００１５】
常時は、前記頭部保護具１について、袋状体２及び帯状体３のそれぞれの個所で折畳んでコンパクトにし、カバン或いはバッグに収納して持ち運んでいる。
【００１６】
ところが、大きな地震等に遭遇した時は、カバン或いはバッグより前記頭部保護具１を取り出し、該カバン或いはバッグＡを該頭部保護具１の開口部２ｂより収容室２ｃ内に収容し，該袋状体２を頭頂部に載せてから左右の帯状体３を顔の左右に垂らし、この垂れ下がった左右の帯状体３の先端部の結着部３ｂにおいて互いに結び、前記頭部保護具１を頭に装着する。
【００１７】
このように、前記収容室２ｂにカバン或いはバッグＡを収容した状態で該頭部保護具１が頭に装着されているので、頭上からの落下物があっても、袋状体２はその内部に収容したカバン或いはバッグＡにより衝撃に対する強度性と緩衝性が得られ、頭が保護されて安全である。
【００１８】
尚、本実施例１において、前記袋状体２が長方形状に形成された例を示したが、該袋状体２を円形状或いは三角形状等いずれに形成してもよい。
【実施例２】
【００１９】
本発明の実施例２を図３乃至図５により説明する。
【００２０】
図３は本発明の実施例２の防災用頭部保護具の斜視図、図４は該頭部保護具に使用される装着補助具の正面図、図５は図４のＩ−Ｉ線截断面図である。
【００２１】
４は装着補助具を示し、該装着補助具４は合成樹脂製或いは布製で折り曲げ可能な円形の膜状体４ａからなり、該膜状体４ａの表面には内外２重の環状体４ｂ、４ｃが突設されており、外側の第１環状体４ｃは内側の第２環状体４ｂより突出高さを大に形成している。又、前記装着補助具４の裏面には接離可能な接着材４ｄが取付けられている。
【００２２】
次に本実施例２の防災用頭部保護具１の使用と効果を説明する。
【００２３】
常時は、前記頭部保護具１について、袋状体２及び帯状体３をそれぞれ適宜の個所で、又、装着補助具４も適宜折畳んでコンパクトにし、カバン等に収納して持ち運んでいる。
【００２４】
ところが、大きな地震等に遭遇した時は、カバン等より前記頭部保護具１と装着補助具４を取り出し、該装着補助具４を該頭部保護具１の袋状体２の表面２ｄに図３に示すようにその裏面の接着材４ｄにより接着する。
【００２５】
そして、カバン等を該頭部保護具１の開口部２ｂより収容室２ｃ内に収容し，該袋状体２を、その表面２ｄを下にして頭に載せる。このとき、該装着補助具４の表面が下方になり、しかも該表面において外側の第１環状体４ｃが内側の第２環状体４ｂより突出高さを大に形成しているので、内側の第２環状体２ｂが頭頂部の近くの位置に、又外側の第１環状体２ｃが該頭頂部から離れた位置にそれぞれ当接する。
【００２６】
そして、前記袋状体２の左右から垂れ下がった左右の帯状体３の先端部の結着部３ｂにおいて互いに結び、前記頭部保護具１を頭に装着する。
【００２７】
本実施例２においては、該膜状体４ａの表面には内外２重の環状体４ｂ、４ｃが突設されており、外側の第１環状体４ｃが内側の第２環状体４ｂより突出高さを大に形成しているので、これら環状体２ｂと２ｃが頭の表面に確実に圧接して前記頭部保護具１が頭に確実に装着して該頭部保護具１が頭から外れることがない。
【実施例３】
【００２８】
本発明の実施例３を図６及び図７により説明する。
【００２９】
図６は本発明の実施例３の防災用頭部保護具の斜視図、図７は該頭部保護具に使用される保護カバーの斜視図である。
【００３０】
５は保護カバーを示し、該保護カバー５は合成樹脂製或いは布製で折り曲げ可能な長方形状の膜状体５ａからなり、該膜状体５ａの表面の上半部に複数個の接離可能な接着材５ｂが設けられていると共に該表面の下半部に所定の間隔を存して左右の接離可能な接着材５ｃ設けられている。
【００３１】
６は垂下帯状体を示し、該垂下帯状体６は合成樹脂製或いは布製で折り曲げ可能な帯状の膜状体からなり、左右の該垂下帯状体６を前記袋状体２の下方部に結着して下方に垂下するようにした。
【００３２】
次に本実施例３の防災用頭部保護具１の使用と効果を説明する。
【００３３】
常時は、前記頭部保護具１について、袋状体２及び帯状体３をそれぞれ適宜の個所で、又、保護カバー５も適宜折畳んでコンパクトにし、カバン等に収納して持ち運んでいる。
【００３４】
ところが、大きな地震等に遭遇した時は、カバン等より前記頭部保護具１と保護カバー５を取り出し、該保護カバー５を、該頭部保護具１の袋状体２の裏面に図６に示すように接着材５ｂにより接着すると共に前記垂下帯状体６も接着材５ｃにより接着する。この接着により前記保護カバー５は前記袋状体２の上方に第１突出部５ｄを形成すると共に該袋状体２の下方に第２突出部５ｅを形成する。
【００３５】
そして、カバンＡを該頭部保護具１の開口部２ｂより収容室２ｃ内に収容し，該袋状体２を、その表面２ｄを下にして頭に載せる。このとき、前記第１突出部５ｄはおでこを保護し、又、前記第２突出部５ｅは、前記垂下帯状体６に接着しているので、動きが規制されて、風等により捲れ上がることなく後頭部から首にかけて覆ってこれらの部位を保護する。
【実施例４】
【００３６】
本発明の実施例４を図８乃至図１０により説明する。
【００３７】
図８は本発明の実施例４の防災用頭部保護具の斜視図、図９は該頭部保護具を防災に使用する状態を示す斜視図、図１０は該頭部保護具をリュックサックとして使用する状態を示す斜視図である。
【００３８】
１Ａは本実施例の防災用頭部保護具を示し、該頭部保護具１Ａは袋状体２Ａと帯状体３Ａとからなり、該袋状体２Ａは、合成樹脂製或いは布製で折り曲げ可能な２枚の長方形状の膜状体をその両側縁及び下側縁において接着すると共に上側縁において開口部２ｂを形成して内部を該開口部２ｂに連なる収容室２ｃ形成して構成されている。
【００３９】
又、前記帯状体３Ａは、合成樹脂製或いは布製の２枚の帯状の膜状体からなり、その根部を前記袋状体２Ａの両側辺の上方部にそれぞれ結着した。
【００４０】
７は前記袋状体２Ａの両側辺の下方部にそれぞれ貫通して形成した第１係止孔、８は該両側辺で該第１係止孔７の更に下方部にそれぞれ貫通して形成した第２係止孔、９は該袋状体２Ａの上側辺に取付けた持ち手を示す。
【００４１】
次に本実施例４の防災用頭部保護具１の使用と効果を説明する。
【００４２】
常時は、前記頭部保護具１Ａについて、袋状体２Ａ及び帯状体３Ａをそれぞれ適宜の個所で折畳んでコンパクトにし、カバン等に収納して持ち運んでいる。
【００４３】
ところが、大きな地震等に遭遇した時は、カバン等より前記頭部保護具１Ａを取り出し、図９に示すように、袋状体２Ａの左側辺に結着した帯状体３Ａの先端部を該袋状体２Ａの右側辺の第２係止孔８に挿通して結んで係止し、又、該袋状体２Ａの右側辺に結着した帯状体３Ａの先端部を該袋状体２Ａの左側辺の第２係止孔８に挿通して結んで係止し、両帯状体３Ａを中間部において交差した状態にしてから、カバン等」を該袋状体２Ａの開口部２ｂより収容室２ｃ内に収容し，該袋状体２を頭頂部に載せてから、左右の帯状体３を顔の左右に当てながら交差する中間部で顎に係止して前記頭部保護具１を頭に装着する。
【００４４】
一方、このような異常時でないときは、図８に示すように、袋状体２Ａの外側に垂れている帯状体３Ａを該袋状体２Ａの中に入れ、持ち手９を利用して該袋状体２Ａを買い物バッグとして使用する。
【００４５】
又、図１０に示すように、袋状体２Ａの左側辺に結着した帯状体３Ａの先端部を該袋状体２Ａの左側辺の第１係止孔７に挿通して結んで係止すると共に該袋状体２Ａの右側辺に結着した帯状体３Ａの先端部を該袋状体２Ａの右側辺の第１係止孔７に挿通して結んで係止し、これら帯状体３Ａに腕をそれぞれ通すことにより、リュックサックとして使用する。
【００４６】
このように本実施例４の頭部保護具１Ａは防災用の頭部保護具として、或いは、買い物バッグとして、或いは、リュックサックとして使用することができ、汎用性がある。
【００４７】
又、前記実施例１の頭部保護具１において、左右の帯状体３をその先端部で結着し、袋状体２の表面上に怪我をした腕を載せてから、これら帯状体３の結着部を肩に掛けることにより三角巾として使用できる。
【００４８】
又、前記実施例４の頭部保護具１Ａにおいて、例えば、袋状体２Ａの左側辺の上方部に結着した帯状体３Ａのみの先端部を該袋状体２Ａの右側辺の係止孔７或いは８に挿通して結着するか、又は、前記袋状体２Ａの右側辺の上方部に結着した帯状体３Ａのみの先端部を該袋状体２Ａの左側辺の係止孔７或いは８に挿通して結着し、該袋状体２Ａの表面上に怪我をした腕を載せてから、前記帯状体３Ａの中間部を肩に掛けることにより三角巾として使用できる。
【００４９】
尚、防災用の頭部保護具として使用するときに、帯状体３Ａの先端部を第１係止孔７の代わりに第２係止孔８に挿通して係止してもよく、或いはリュックサックとして使用するときに、帯状体３Ａの先端部を第２係止孔８の代わりに第１係止孔７に挿通して係止してもよく、又は、第１係止孔７と第２係止孔８を共通１個の係止孔にして該係止孔に帯状体３Ａの先端部を挿通係止して防災用の頭部保護具として、又はリュックサックとして使用することもできる。
【００５０】
又、本実施例４において、帯状体３Ａを袋状体２Ａの側辺の上方部に結着すると共に、係止孔７，８を該袋状体２Ａの側辺の下方部に形成したが、これとは逆に、帯状体３Ａを袋状体２Ａの側辺の下方部に結着すると共に、係止孔７，８を該袋状体２Ａの側辺の上方部に形成してもよい。
【００５１】
又、前記実施例において、左右の帯状体を、先端部の結着部において結ぶことにより互いに連結する例を示したが、ホック、或いは、尾錠等の種々の結着手段を用いてもよい。
【００５２】
又、前記袋状体の収容室に収容する物は衝撃防止物であり、該衝撃防止物として、前記実施例ではカバンやバッグの例を示したが、これら以外に雑誌等の本や新聞等の衝撃を防止できて前記収容室に収容可能な物であればいずれの物でもよい。
【００５３】
更に、本発明の頭部保護具は、避難場所において、枕や座布団として使用可能である。
【産業上の利用可能性】
【００５４】
本発明の頭部保護具は、地震その他において、ガラス、タイル、コンクリート等の落下物から頭部を守るために利用される。
【符号の説明】
【００５５】
１    頭部保護具
２    袋状体
２ｂ  開口部
２ｃ  収容室
２Ａ  袋上体
３    帯状体
３ｂ  結着部
３Ａ  帯状体
４    装着補助具
４ｂ  環状体
４ｃ  環状体
４ｄ  接着材
５    保護カバー
５ｂ  接着材
７    係止孔
８    係止孔
【図１】
2013129944.tif 000003
【図２】
2013129944.tif 000004
【図３】
2013129944.tif 000005
【図４】
2013129944.tif 000006
【図５】
2013129944.tif 000007
【図６】
2013129944.tif 000008
【図７】
2013129944.tif 000009
【図８】
2013129944.tif 000010
【図９】
2013129944.tif 000011
【図１０】
2013129944.tif 000012
【図１１】
2013129944.tif 000013